(57)【要約】【課題】  本発明は上記課題を鑑みて発明されたものであり、手間を要する様々な対処法を施すことなく、支柱を垂直な状態に保って支持できると共に、建柱工事を効率的に行うことが可能な根かせを提供することにある。【解決手段】  支柱の下部に取り付けられ、該支柱の立設時、支柱下部とともに地中に埋設される根かせであって、該根かせの下底面Ｓを、支柱７から離れるに従って下向きに傾斜させていることを特徴とする。【選択図】      図２
2005299227.tif 000002
【特許請求の範囲】
【請求項１】
支柱の下部に取り付けられ、該支柱の立設時、支柱下部とともに地中に埋設される根かせであって、
該根かせの下底面（Ｓ）を、支柱（７）から離れるに従って下向きに傾斜させていることを特徴とする根かせ。
【発明の詳細な説明】
【技術分野】
【０００１】
本発明は、おもに電柱や表示灯、電灯等の立設時、軟弱地盤での支持強度を保つために利用される根かせに関するものである。
【背景技術】
【０００２】
根かせは一般に、電柱や表示灯、信号などの様々な支柱を軟弱地盤に立設する際、支持強度を充分に確保する目的で利用されている。具体的には、Ｌ字型あるいは円筒型をなすコンクリート製の塊を、支柱の下部側にＵ字ボルト等で離脱不能に取付け、次いで前記状態の支柱を地盤に設けた掘削穴に突入し、さらに山砂などを埋め戻して埋設する手法により広く利用されている。
【特許文献１】特開平６−１７３２２６号公報
【発明の開示】
【発明が解決しようとする課題】
【０００３】
従来の根かせは主としてコンクリート製であることから、その重量が嵩み、作業性の観点から、軽量化を図る目的で根かせを合成樹脂により形成することが検討された。しかしながら根かせの軽量化を図った場合には、コンクリート製のものよりも重量が飛躍的に軽くなった分、建柱工事後に、例えば根かせの設置側に支柱が傾くような力が加わった場合、図４のように地中からの抗力によって、根かせ１１及び支柱１７が浮き上がる不都合が予測されるものであった。
【０００４】
本発明は上記課題を鑑みて発明されたものであり、手間を要する様々な対処法を施すことなく、支柱を垂直な状態に保って支持できると共に、建柱工事を効率的に行うことが可能な根かせを提供することにある。
【課題を解決するための手段】
【０００５】
本発明は、支柱の下部に取り付けられ、該支柱の立設時、支柱下部とともに地中に埋設される根かせであって、該根かせの下底面を、支柱から離れるに従って下向きに傾斜させていることを特徴とする。
【０００６】
支柱とは例えば、電柱、電灯、表示灯、信号等の支持部材を全て含んだ概念である。また下向きに傾斜するとは、根かせの埋設時、該根かせの下底面の支柱から離れた箇所が地中に食い込むような状態となればよいから、具体的には、本根かせの下底面全体、あるいは下底面の一部をテーパ状に形成したもの、または、支柱側から離れるに従って下向きに彎曲したＲ勾配を設けたもの等が挙げられる。さらに本根かせの原料は特に限定するものではないが、支柱への取付時における作業性（根かせの軽量化）、あるいは資源再利用等の観点から、廃プラスティック等を利用することが望ましい。
【０００７】
このように形成した根かせは、建柱作業時、支柱の立設とともに地中に埋設されるが、建柱後、例えば支柱が根かせを設置した側に傾いた場合、前記根かせ下底面の支柱側から離れた箇所が地中土に対して食い込むこととなる。これにより、根かせの下底面が地中からの抗力を下向きに働くように促し、結果、地盤上に支柱を垂直な状態で立設できる。
【発明の効果】
【０００８】
本発明によれば、建柱工事後においても支柱の傾きを抑制できるので、支柱を長期間垂直に保って立設できる。
【０００９】
また本根かせの製造時、その原料に廃プラスティックを利用すれば、省資源化に寄与できる。しかも根かせの原料が合成樹脂であるから、従来のようなコンクリート製のものに比べて飛躍的に軽量化され、結果、建柱作業の効率化を図ることができる。
【発明を実施するための最良の形態】
【００１０】
次に、本発明の根かせの一実施形態を以下に説明する。
【００１１】
ここでまず、根かせを使用する建柱工事の代表的な一例について簡単に説明する。
まず建柱工事では、根入れと呼ばれる工程が行われるが、根かせを使用するような軟弱地盤において電柱を立設する際、地域や施工業者等によって基準が千差万別ではあるが、電柱の全長の約１／６となる深さの丸穴をアースオーガにより掘削し、さらに前記丸穴とともに根かせを入れる段状穴を設ける。次に、電柱の下部に根かせをＵ字ボルトで固定し、さらに、この電柱を吊り下げた穴掘建柱車によって、前記丸穴内に電柱を起立した状態で下ろしていく。そして根かせの底位置が前記段状穴に一致した段階で、埋め戻し用に用意した山砂等を埋め戻し、作業を終了する。
【００１２】
前述の建柱工事の説明をうけて、本発明の根かせの具体的な構成説明に移る。
本根かせは図１のように、電柱７の起立方向に沿って当接する取付壁３と、該取付壁３の下端において電柱７から離れる方向に向けて屈曲した当接壁２と、取付壁３と当接壁２とに跨って架設される梁４とからなっている。また前記取付壁３は、該取付壁３背面側の中間部において、縦方向に延長する２枚の各ヒレ部５，５間により電柱７側に位置決めしてあると共に、Ｕ字ボルト６によって電柱７側に離脱不能に固定されている。
尚、図中Ｇは地表面を示すものである。
【００１３】
さらに前記当接壁２は図２のように、電柱７の立設時、地中土Ｆとの底側の当接部分となる下底面Ｓが、水平位置Ｌよりも僅かに電柱７から離れるに従って下降するテーパ状をなすように形成してある。具体的には、この当接壁２は、取付壁３から直角に屈曲するように一体成形してあるが、取付壁３の厚みを、上側から下側に向けて次第に狭くなるように形成し、電柱７立設時、その下底面Ｓが電柱７から離れるに従って下降したテーパ状となるように形成したものである。また下底面Ｓのテーパ部分の勾配角は、本根かせを取り付ける電柱７の態様が、前述のように起立時に上側から下側に径が拡がるようなものであっても、この下底面Ｓが、電柱７側から離れるに従って下降するテーパ状を保つような角度に設定されている。
【００１４】
また本根かせは、合成樹脂による当接壁２、取付壁３、梁４及びヒレ部５，５の一体成形品であり、その原料として例えば、配電線防護管や絶縁用カバー、計器収納箱等に代表される使用済みの送配電線用樹脂製品等から得られる廃プラスティックを再利用している。これにより本根かせの飛躍的な軽量化が可能となり、電柱７への根かせ取付時の作業者の負担が軽減され、建柱工事時の効率化を図られる。
尚、本根かせの原料は廃プラスティックに限るものではなく、新規の合成樹脂で形成してもよいし、また従来通りコンクリートで形成してもよく、さらにはアルミニウム合金等の適用も可能である。
【００１５】
そして、前記のように根かせを形成していることで図３のように、建柱工事後、当接壁２下底面Ｓにおける電柱７から離れた箇所が次第に地中土Ｆに食い込むような状態となり、仮に電柱７が根かせを取り付けた側に傾いた場合、前記地中土Ｆからの抗力が斜め下方向に促され、結果、根かせを浮き上がらせるような方向に働く抗力が軽減され、例えば、本根かせを取り付けた電柱７を掘削穴の中に下ろしていくだけで、容易に電柱７を垂直な状態に保って立設できる。
【図面の簡単な説明】
【００１６】
【図１】本発明による根かせの電柱への取付状態を示す斜視図である。
【図２】本発明による根かせの使用状態を示す側面図である。
【図３】建柱工事時において、本根かせに対して地中土からの抗力が加わった状態を示す側面図である。
【図４】従来の根かせの建柱工事時において、根かせに対して地中土からの抗力が加わった状態を示す側面図である。
【符号の説明】
【００１７】
７  電柱（支柱）
Ｓ  下底面
【図１】
2005299227.tif 000003
【図２】
2005299227.tif 000004
【図３】
2005299227.tif 000005
【図４】
2005299227.tif 000006